(57)【要約】 【課題】  操作部とハウジングとの間に隙間が生じることを防止でき、オイル等に強く、簡易な構造のスイッチ装置を提供する。【解決手段】  ハウジング１１は、一部に開口部１２ｄを有する隔壁１２ｃにより仕切られた第１収容部１２ａと第２収容部１２ｂとを有する。接点機構１４は、第１収容部内に配置された固定接片１６と、コモン接片１５、及びコモン接片に載置され、固定接片に接触することが可能な可動接片１７とを含む。操作部１８は、一端部が開口部１２ｄに挿入されて可動接片の上を摺動可能な押し棒１８ｂと、押し棒の他端部に設けられたボタン１８ａと、押し棒の一端部と他端部との間に設けられたほぼ球形の係止部１８ｃとを有する。Ｏリング１９は、開口部の周囲の隔壁上に設けられ、係止部が圧接される。【選択図】図２
2019220267.tif 000002
【特許請求の範囲】
【請求項１】
一部に開口部を有する隔壁により仕切られた第１収容部と第２収容部とを有するハウジングと、
前記第１収容部内に配置された固定接片と、コモン接片、及び前記コモン接片に載置され、前記固定接片に接触することが可能な可動接片とを含むスイッチ機構と、
一端部が前記開口部に挿入されて前記可動接片の上を摺動可能な押し棒と、前記押し棒の他端部に設けられたボタンと、前記押し棒の一端部と他端部との間に設けられたほぼ球形の係止部とを有する操作部と、
前記開口部の周囲の前記隔壁上に設けられ、前記係止部が接触されるＯリングと
を具備することを特徴とするスイッチ装置。
【請求項２】
前記操作部の前記ボタンと、前記押し棒と、前記係止部は、一体的に形成されることを特徴とする請求項１記載のスイッチ装置。
【請求項３】
前記隔壁は、前記開口部の周囲に前記Ｏリングを収容する溝を具備することを特徴とする請求項１記載のスイッチ装置。
【請求項４】
前記Ｏリングは、断面が矩形又は円形であることを特徴とする請求項３記載のスイッチ装置。
【請求項５】
前記溝は、前記Ｏリングの断面形状に類似する断面形状を具備することを特徴とする請求項４記載のスイッチ装置。
【発明の詳細な説明】
【技術分野】
【０００１】
本発明の実施形態は、例えば防塵構造を有するシールタイプのスイッチ装置に関する。
【背景技術】
【０００２】
例えばロッカースイッチは、ハウジング内に塵埃が侵入することを阻止するため、防塵構造を有している。防塵構造としては、例えばポリウレタン等のスポンジを操作部の裏面側に充填し、操作部とハウジングの間の隙間を埋める方法（例えば特許文献１参照）、又は、操作部に設けられた転換子の周囲にＯリングを装着し、ハウジングと転換子との間の隙間を埋める方法（例えば特許文献２参照）がある。
【先行技術文献】
【特許文献】
【０００３】
【特許文献１】実開昭６０−１３４２５５号公報
【特許文献２】特許第４７７２６３４号公報
【発明の概要】
【発明が解決しようとする課題】
【０００４】
上記ポリウレタン等のスポンジを用いた場合、スポンジがオイル等に弱いため、スイッチの使用環境が制限される。
また、Ｏリングを用いた場合、部品点数が増大し、組み立て工数が増加する。
本発明の実施形態は、操作部とハウジングとの間に隙間が生じることを防止でき、オイル等に強く、簡易な構造のスイッチ装置を提供するものである。
【課題を解決するための手段】
【０００５】
本実施形態のスイッチ装置は、一部に開口部を有する隔壁により仕切られた第１収容部と第２収容部とを有するハウジングと、前記第１収容部内に配置された固定接片と、コモン接片、及び前記コモン接片に載置され、前記固定接片に接触することが可能な可動接片とを含むスイッチ機構と、一端部が前記開口部に挿入されて前記可動接片の上を摺動可能な押し棒と、前記押し棒の他端部に設けられたボタンと、前記押し棒の一端部と他端部との間に設けられたほぼ球形の係止部とを有する操作部と、前記開口部の周囲の前記隔壁上に設けられ、前記係止部が接触されるＯリングと、を具備する。
【図面の簡単な説明】
【０００６】
【図１】本実施形態に係るスイッチ装置の一例を示す斜視図。
【図２】図１のＩＩ−ＩＩ線に沿った断面図。
【図３】図１の一部を分解して示す斜視図。
【発明を実施するための形態】
【０００７】
以下、実施の形態について、図面を参照して説明する。図面において、同一部分には同一符号を付している。
図１、図２は、本実施形態に係るスイッチ装置１０を示している。スイッチ装置１０において、ハウジング１１は、ハウジング本体１２と、基板１３により構成されている。基板１３はハウジング本体１２の底部に設けられている
ハウジング本体１２は、第１収容部１２ａ及び第２収容部１２ｂを具備している。第１収容部１２ａと第２収容部１２ｂは隔壁１２ｃにより仕切られている。隔壁１２ｃの中央部には、例えば円形状の開口部１２ｄが設けられている。
【０００８】
第１収容部１２ａは、底部に開口部１２ｅを有し、開口部１２ｅは、基板１３により閉塞されている。
第１収容部１２ａ内には、接点機構１４が設けられている。接点機構１４は、例えば基板１３の中央部に設けられたコモン接片１５と、コモン接片１５の近傍の基板１３に設けられた固定接片１６と、コモン接片１５に載置された可動接片１７とにより構成されている。固定接片１６は、固定接点１６ａを有している。
【０００９】
可動接片１７は、略Ｕ字状に形成され、第１部分１７ａと、第１部分１７ａにほぼ平行する第２部分１７ｂと、第１部分１７ａと第２部分１７ｂとの間の第３部分１７ｃを具備している。
第１部分１７ａの中央部は、コモン接片１５上に載置される載置部１７ｄを有し、可動接片１７は、コモン接片１５を支点として、シーソー運動が可能とされている。第１部分１７ａの一端部には、可動接片１７が回動された状態において、固定接点１６ａに接触することが可能な接点１７ｅが設けられている。
【００１０】
可動接片１７の第２部分１７ｂは、後述する操作部１８の押し棒１８ｂの先端部がスライド可能とされたスライド部１７ｆを具備している。スライド部１７ｆは、載置部１７ｄとほぼ対応する位置が窪んだ略Ｖ字形状を有している。
可動接片１７は、押し棒１８ｂの先端部がスライド部１７ｆをスライドすることにより、コモン接片１５を支点としてシーソー運動することが可能とされている。
【００１１】
ハウジング本体１２の第２収容部１２ｂは、上部に開口部１２ｆを有している。第２収容部１２ｂ内には、操作部１８が回動可能に設けられる。
操作部１８は、ボタン１８ａと、押し棒１８ｂと、係止部１８ｃと、図３に示す支持部１８ｄ、１８ｅと、を具備している。
【００１２】
係止部１８ｃは、押し棒１８ｂの中間に設けられ、開口部１２ｄの径より大きなほぼ球形とされている。支持部１８ｄ、１８ｅは、ボタン１８ａの両側に設けられている。ボタン１８ａと、押し棒１８ｂと、係止部１８ｃと、支持部１８ｄ、１８ｅは、一体的に形成されている。
【００１３】
操作部１８は、第２収容部１２ｂ内に収容された状態において、ボタン１８ａが開口部１２ｆから露出され、図３に示すように、支持部１８ｄ、１８ｅが第２収容部１２ｂの平行する側壁に設けられた穴１２ｇ、１２ｈに係合される。このため、操作部１８は、支持部１８ｄ、１８ｅを支点としてハウジング本体１２に対して回動可能に設けられる。
【００１４】
図２に示すように、押し棒１８ｂは、隔壁１２ｃの開口部１２ｄに挿入され、その先端部が可動接片１７のスライド部１７ｆにスライド可能に接触される。
図３に示すように、隔壁１２ｃの開口部１２ｄの周囲には、溝１２ｉが設けられ、溝１２ｉ内にＯリング１９が設けられる。Ｏリング１９は、ゴム製であり、例えば断面が矩形とされている。Ｏリング１９の内径は、開口部１２ｄの径と同等か、それ以下とされている。
【００１５】
図２に示すように、押し棒１８ｂが開口部１２ｄ内に挿入された状態において、係止部１８ｃがＯリング１９に接触される。断面が矩形のＯリング１９は、係止部１８ｃがＯリング１９に接触されることにより変形し、係止部１８ｃの外面に密着する。
しかも、溝１２ｉは、Ｏリング１９の断面形状と類似する断面形状を有している。すなわち、Ｏリング１９の外形は矩形であり、溝１２ｉの底面と側面は直交している。このため、Ｏリング１９は溝１２ｉに密着され、Ｏリング１９と溝１２ｉとの間に隙間が生じない。したがって、開口部１２ｄと係止部１８ｃとの間の隙間は、Ｏリング１９により確実に密閉することができる。
【００１６】
尚、Ｏリング１９は、断面が矩形に限定されるものではなく、開口部１２ｄと係止部１８ｃとの間の隙間を十分に密閉できれば、断面が円形のＯリングを適用することも可能である。この場合、断面が円形のＯリングに従って、溝１２ｉは円弧状の断面を有することが好ましい。
【００１７】
また、開口部１２ｄから係止部１８ｃまでの距離をＯリング１９の厚みより若干短くすることにより、係止部１８ｃをＯリング１９に圧接させることが可能である。この場合、係止部１８ｃと開口部１２ｄとの隙間をより確実に密閉することができる。しかし、これに限らず、係止部１８ｃがＯリング１９に接触した状態において、操作部１８の自重により、Ｏリング１９が変形するように構成してもよい。
【００１８】
上記構成において、操作部１８のボタン１８ａが図１、図２に示す位置にある場合、可動接片１７の接点１７ｅが固定接点１６ａから離れており、スイッチ装置１０はオフである。この状態より、ボタン１８ａを図示矢印Ａ方向に操作すると、操作部１８は係止部１８ｃを中心として回動され、押し棒１８ｂの先端部が可動接片１７のスライド部１７ｆをスライドする。押し棒１８ｂの先端部がコモン接片１５を越えると、可動接片１７が図示矢印Ｂ方向に回動し、接点１７ｅが固定接点１６ａに接触され、スイッチ装置１０がオンとなる。
【００１９】
スイッチ装置１０がオンの状態より、ボタン１８ａを図示矢印Ｂ方向に操作すると、押し棒１８ｂが上記とは逆に動作し、スイッチ装置１０は、図２に示すように、オフに復帰する。
（実施形態の効果）
上記実施形態によれば、隔壁１２ｃの開口部１２ｄの周囲にＯリング１９を設け、押し棒１８ｂが開口部１２ｄ内に挿入された状態において、係止部１８ｃがＯリング１９に圧接されることにより、開口部１２ｄは、係止部１８ｃとＯリング１９とにより閉塞される。係止部１８ｃとＯリング１９との接触状態は、Ｏリング１９の弾性により、ボタン１８ａが操作された場合においても保持される。このため、例えばボタン１８ａと開口部１２ｆとの間から第２収容部１２ｂ内に塵埃が侵入した場合においても、開口部１２ｄを通って第１収容部１２ａ内に塵埃が侵入することを防止できる。したがって、接点機構１４の接触を安定に保持することが可能である。
【００２０】
また、Ｏリング１９は、隔壁１２ｃの開口部１２ｄの周囲に配置されているため、操作部１８の押し棒１８ｂを開口部１２ｄに挿入することによって係止部１８ｃとＯリング１９とを圧接させることができる。このため、操作部１８は、ボタン１８ａ、押し棒１８ｂ、係止部１８ｃ、及び支持部１８ｄ、１８ｅを一体的に形成することが可能である。したがって、部品点数を削減することが可能である。
【００２１】
しかも、隔壁１２ｃの開口部１２ｄの周囲にＯリング１９を配置し、この後、操作部１８の押し棒１８ｂを開口部１２ｄ内に挿入し、ボタン１８ａの支持部１８ｄ、１８ｅを第２収容部１２ｂの平行する側壁に設けられた穴１２ｇ、１２ｈに係合させることにより、組み立てが完了する。このため、組み立てが簡単で、工数を削減することが可能である。
【００２２】
さらに、Ｏリング１９は、ゴム製であるため、オイル等に強く、スイッチ装置の使用環境に対する制約を緩和することが可能である。
尚、上記実施形態は、ロッカースイッチに適用した場合について説明したが、これに限定されるものではなく、ボタン１８ａの形状が、例えばレバータイプのレバーロッカースイッチなどに適用することも可能である。
【００２３】
その他、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００２４】
１０…スイッチ装置、１１…ハウジング、１２ａ…第１収容部、１２ｂ…第２収容部、１２ｃ…隔壁、１２ｄ…開口部、１４…接点機構、１５…コモン接片、１６…固定接片、１７…可動接片、１８…操作部、１８ａ…ボタン、１８ｂ…押し棒、１８ｃ…係止部、１９…Ｏリング。
【図１】
2019220267.tif 000003
【図２】
2019220267.tif 000004
【図３】
2019220267.tif 000005